(57)【要約】【課題】吹出口の風速は室内ファンの中心部が最も高く、一部の気流は中央方向からの漏れがある。それにより、部屋の袖壁に空気調和機を設置したときの横方向への気流の指向性が悪く、部屋全体を快適な状態に保つことが難しいという課題を有していた。【解決手段】吹出口から吹き出される気流の向きを変更する風向変更羽根のピッチを、吹出口から吹き出される気流の向きを変更する左右羽根のピッチを吹出口に左右幅方向に配置した前記左右羽根と、室内ファンを備え、前記室内ファンの軸方向で中心部に対応する隣合う左右羽根のピッチが、それぞれのピッチの間隔を両端部に対応する左右羽根のピッチよりも小さくなって配設することで、正面方向への気流の漏れを低減させ、気流の指向性および到達性が向上する。【選択図】図３
2014020706.tif 000002
【特許請求の範囲】
【請求項１】
吹出口から吹き出される気流の向きを変更する左右風向変更羽根と、前記吹出口へ気流を吐出する室内ファンと、前記吹出口の上部壁と下部壁を接続する中央支点とを備えた空気調和機において、前記左右風向変更羽根は、遠隔操作手段によって連動する複数の左羽根と複数の右羽根を、前記中央支点を介して左右に配置し、前記中央支点と前記左羽根及び前記右羽根の前記中央支点に隣合う第１羽根とのピッチは、他の羽根のピッチよりも小さくなって配設されている空気調和機。
【請求項２】
前記左右羽根を左側に振った時、前記左羽根の前記第１羽根の上流端部を前記中央支点と、正面視して、近接配置し、前記右羽根の前記第１羽根の下流端部を前記中央支点と、正面視して、隙間がないように前後方向にラップさせて配置したことを特徴とする請求項１に記載の空気調和機。
【発明の詳細な説明】
【技術分野】
【０００１】
本発明は、室内機に吹出口から吹き出される気流の向きを変更する風向変更羽根を設け、その風向変更羽根の左右羽根ピッチの構造に関する。
【背景技術】
【０００２】
従来の空気調和機は、室内機の吹出口から吹き出される気流を、左右方向に均等なピッチで配置した左右羽根によって曲げていた。
【先行技術文献】
【特許文献】
【０００３】
【特許文献１】特開平８−１５９５４６号公報
【発明の概要】
【発明が解決しようとする課題】
【０００４】
従来の空気調和機は、正面方向だけでなく左右方向にも気流を送るために左右羽根を傾け気流の方向を変えようとする。しかし、吹出口の風速は室内ファンの中心部が最も高く、一部の気流は中央方向からの漏れがある。それにより、部屋の袖壁に空気調和機を設置したときの横方向への気流の指向性が悪く、部屋全体を快適な状態に保つことが難しいという課題を有していた。
【課題を解決するための手段】
【０００５】
上記目的を達成するために、本発明は吹出口から吹き出される気流の向きを変更する風向変更羽根のピッチを吹出口に左右幅方向に配置した左右羽根と、室内ファンを備え、室内ファンの軸方向で前記室内ファンの中心部に対応する隣合う左右羽根のピッチは、前記左右羽根それぞれのピッチの間隔を両端部に対応する前記左右羽根のピッチより狭く配設されている。
【発明の効果】
【０００６】
本発明の空気調和機は、前述したように風速の最も高い室内ファンの中心部ほど左右羽根ピッチの間隔が狭い構成になっており、正面方向への気流の漏れを低減させ、気流の指向性および到達性が向上する。
【図面の簡単な説明】
【０００７】
【図１】本発明に係る空気調和機を構成する室内機の奥行き方向の縦断面図
【図２】左右羽根ピッチの最適化を行っていない空気調和機の吹出口の上面図
【図３】左右羽根ピッチの最適化を行っている空気調和機の吹出口の上面図
【図４】吹出口ステーと左右羽根をラップさせた吹出口の上面図
【発明を実施するための形態】
【０００８】
第１の発明は、吹出口から吹き出される気流の向きを変更する左右風向変更羽根と、前記吹出口へ気流を吐出する室内ファンと、前記吹出口の上部壁と下部壁を接続する中央支点とを備えた空気調和機において、前記左右風向変更羽根は、遠隔操作手段によって連動する複数の左羽根と複数の右羽根を、前記中央支点を介して左右に配置し、前記中央支点と前記左羽根及び前記右羽根の前記中央支点に隣合う第１羽根とのピッチは、他の羽根のピッチよりも小さくなって配設されている。
【０００９】
この構成によれば、前述したように前記室内ファンの中心が最も風量が高いが、前記室
内ファンの中心部に近い左右羽根ピッチの間隔が狭い構成となっているので、風量の高い部分の気流を曲げることができ、そのことにより左右羽根の設定を左向き若しくは右向きにしたときの、正面方向への気流の漏れを低減させ、気流の指向性および到達性が向上する。
【００１０】
さらに左右羽根枚数を増やすことなく気流の指向性および到達性が向上するので合理化の効果もある。
【００１１】
第２の発明は、特に第１の発明の前記左右羽根を左側に振った時、前記左羽根の前記第１羽根の上流端部を前記中央支点と、正面視して、近接配置し、前記右羽根の前記第１羽根の下流端部を前記中央支点と、正面視して、隙間がないように前後方向にラップさせて配置し、左右羽根を左右に振った時に吹出口中央部からの気流漏れがないようにした空気調和機。
【００１２】
以下、本発明の実施の形態について、図面を参照しながら説明する。なお、この実施の形態によって本発明が限定されるものではない。
【００１３】
（実施の形態１）
一般家庭で使用される空気調和機は、通常冷媒配管で互いに接続された室外機と室内機とで構成されており、図１は本発明に係る空気調和機の室内機を示している。
【００１４】
室内機は、本体２と、本体２の前面開口部２ａを開閉自在の可動前面パネル（以下、単に前面パネルという。）４を有しており、空気調和機停止時は、前面パネル４は本体２に密着して前面開口部２ａを閉じているのに対し、空気調和機運転時は、前面パネル４は本体２から離反する方向に移動して前面開口部２ａを開放する。なお、図１は前面パネル４が前面開口部２ａを閉じた状態を示している。
【００１５】
また、本体２の内部には、室内熱交換器６と、前面開口部２ａ及び上面開口部２ｂから取り入れられた室内空気を室内熱交換器６で熱交換して室内に吹き出すための室内ファン８と、熱交換した空気を室内に吹き出す吹出口１０を開閉するとともに空気の吹き出し方向を上下に変更する上下風向変更羽根（以下、単に「上下羽根」という。）１２と、空気の吹き出し方向を左右に変更する左右風向変更羽根（以下、単に「左右羽根」という。）１４とを備えており、前面開口部２ａ及び上面開口部２ｂと熱交換器６との間には、前面開口部２ａ及び上面開口部２ｂから取り入れられた室内空気に含まれる塵埃を除去するためのフィルタ１６が設けられている。
【００１６】
上下羽根１２は、吹出口１０を開閉する下羽根１８と、下羽根１８の上方に設けられ下羽根１８と協働して吹出口１０から吹き出された空気の吹き出し方向を制御する上羽根２０とで構成されている。また、下羽根１８は駆動軸２２に連結される一方、上羽根２０は駆動軸２４に連結され、各駆動軸２２，２４は駆動モータ等の駆動源（図示せず）に連結されている。
【００１７】
図２から図４に示されるように、左右羽根１４は、室内機の正面から見て左側に位置する一組の左羽根１４ａと、右側に位置する一組の右羽根１４ｂとで構成され、一組の羽根１４ａあるいは１４ｂは複数枚（例えば、４枚）の羽根で構成され、回転軸（図示しない）によって左右に回転し風向を変えることができる。
【００１８】
また、各組の羽根１４ａ，１４ｂはそれぞれ別々の駆動源（例えば、駆動モータ）２６に連結され、駆動源２６により独立して制御される。空気調和機が運転を開始すると、上下羽根１２は開制御されて吹出口１０を開放し、室内ファン８が駆動されることで、室内
空気は前面開口部２ａ及び上面開口部２ｂを介して室内機の内部に取り入れられる。取り入れられた室内空気は熱交換器６で熱交換を行い、室内ファン８を通過して、室内ファン８の下流側に形成された通風路２８を通過し吹出口１０より吹き出される。
【００１９】
また、吹出口１０からの空気の吹き出し方向は、上下羽根１２及び左右羽根１４により制御され、上下羽根１２の上下方向の角度及び左右羽根１４の左右方向の角度は、室内機を制御するリモコン（遠隔操作装置）により制御される。
【００２０】
また吹出口１０の左右幅方向中央部には、吹出口１０の上部壁と下部壁とに接続される中央支点３２が形成されている。
【００２１】
ここで左右羽根ピッチの構成および作用について従来構成の図２と比較しながら説明する。
【００２２】
図２は、従来の要部断面図であり、左羽根１４ａは中央支点３２と左側壁３４との間に等ピッチで配置されている。右羽根１４ｂも左羽根１４ａと同様に配置されている。
【００２３】
また室内ファン８から吐出される空気の風速分布は、左右側壁３４間の中央部分が最も大きく側壁に近づくにつれて風速分布は小さくなっていく。室内機本体２の幅寸法はほぼ決められた寸法で構成されており、吹出口１０の横幅寸法もほぼ一定の限られた寸法で構成されている。
【００２４】
このような条件で、図２の場合、左右羽根１４を左向き若しくは右向きに振った時、風量の高い吹出口１０の中央部で、中央支点３２と隣合う左羽根１４ａの上流端での気流の漏れが多く、図のように左向きに制御されず直進してしまい、気流の指向性及び到達性が悪化する原因となっている。  図３は実施の形態の要部断面図であり、左羽根１４ａの中央支点３２に隣合う羽根から左側壁３４に向って、順に第１羽根Ａ、第２羽根Ｂ、第３羽根Ｃ、第４羽根Ｄと特定している。また中央支点３２と第１羽根Ａの回転軸までの間隔をピッチａ、第１羽根Ａと第２羽根Ｂの間隔をピッチｂ、第２羽根Ｂと第３羽根Ｃの間隔をピッチｃ、第３羽根Ｃと第４羽根Ｄの間隔をピッチｄとすると、それぞれのピッチには、ａ＜ｂ≦ｃ≦ｄという関係になっている。
【００２５】
室内ファン８から吐出される風速分布は、室内ファン８の左右方向の中央位置から吹出される空気が最も風速が大きく、室内ファン８の左右端に向って風速は小さくなるので、室内ファン８に対応する吹出し口１０の中央位置に配置した中央支点３２の近傍が最も風速が大きい。
【００２６】
また中央支点３２の左側に配置される左羽根１４ａの各羽根Ａ〜Ｄは、上記のピッチの関係で吹出口１０に配置されているので、図３のように左向きに羽根を振った時に、中央支点３２に隣合う第１羽根Ａの上流端が中央支点３２との隙間を狭めて配置され、風速が大きい分布の部分に対して相対的にピッチが小さい第１、第２羽根Ａ、Ｂで風向を制御し、風速が小さい分布の部分に対して相対的にピッチが大きい第３、第４羽根Ｃ、Ｄで風向を制御するので、左羽根１４ａ全体で、室内ファン８から吐出される中央支点３２より左側の空気の制御を行うことができ、特に第１羽根Ａと中央支点３２との間から漏れる気流を低減することができる。
【００２７】
右羽根１４ｂの各羽根のピッチも左羽根１４ａと同様に構成されており、室内ファン８から吐出される中央支点３２より右側の空気の制御を行うことができる。
【００２８】
また、図３のように中央支点３２と隣合う右羽根１４ｂの第１羽根Ａの下流側先端部と
中央支点３２の間から漏れる気流を低減することができ、右羽根１４ｂ全体で、室内ファン８から吐出される中央支点３２より右側の空気の制御を行うことができ、気流の指向性及び到達性を向上させることができる。
【００２９】
図５は左右羽根１４を左向き若しくは右向きに構造上で向けることが出来る最大の角度に振った時の図で、左羽根１４ａの中央支点３２に隣り合う第１羽根Ａの上流端部が中央支点３２と、正面視した時に、前後方向に重なった位置関係となってラップし、又は第１羽根Ａの上流端部が中央支点３２に近接し、またこの時、右羽根１４ｂの第１羽根Ａの下流端部は中央支点３２と、正面視した時に前後方向に重なった位置関係となってラップしている。
【００３０】
この構成により、さらに風量の高い吹出口１０の中央支点３２での正面方向への気流の漏れを防ぎ、気流の指向性および到達性を向上させることができる。
【産業上の利用可能性】
【００３１】
以上のように本発明にかかる空気調和機は、吹出口中央部での気流の漏れを防ぐことができ指向性と到達性の高い気流を作ることができるので送風機等の分野にも応用できる。
【符号の説明】
【００３２】
２  室内機本体
２ａ  前面開口部
２ｂ  上面開口部
４  前面パネル
６  室内熱交換器
８  室内ファン
１０  吹出口
１２  上下風向変更羽根
１４  左右風向変更羽根
１４ａ  左側の羽根
１４ｂ  右側の羽根
１６  フィルタ
１８  下羽根
１８ａ  幅狭部
１８ｂ  幅広部
２０  上羽根
２２  駆動軸
２４  駆動軸
２６  駆動源
２８  通風路
３０  室内ファンモータ
３２  吹出し中央支点
３４  側壁
【図１】
2014020706.tif 000003
【図２】
2014020706.tif 000004
【図３】
2014020706.tif 000005
【図４】
2014020706.tif 000006